(57)【要約】【課題】販売商品と共に搬出する景品の設定作業を容易に行うことのできる自動販売機を提供する。【解決手段】商品収納コラムＡの商品と共に搬出する景品を収納し、商品選択スイッチ５の選択操作によって景品を搬出する景品収納コラムＢを備え、景品収納コラムＢの景品を搬出する商品選択スイッチ５を任意に設定するようにしたので、景品収納コラムＢに対応する商品選択スイッチ５を設定するだけでその商品と共に搬出する景品の設定を行うことができ、設定作業を極めて容易に行うことができる。また、一部の景品収納コラムＢに販売用の商品を収納し、任意の商品選択スイッチ５によって搬出するようにしたので、景品収納コラムＢを商品販売用にも使用することができ、景品収納コラムＢを有効に利用することができる。【選択図】  図３
2004334525.tif 000002
【特許請求の範囲】
【請求項１】
商品を収納する複数の商品収納コラムと、商品を選択する複数の商品選択スイッチとを備え、任意の商品選択スイッチを選択操作することにより、その商品選択スイッチに対応する商品収納コラムから商品を搬出するようにした自動販売機において、
前記商品収納コラムの商品と共に搬出する景品を収納し、商品選択スイッチの選択操作によって景品を搬出する少なくとも一つの景品収納コラムと、
景品収納コラムの景品を搬出する商品選択スイッチを任意に設定可能な設定手段とを備えた
ことを特徴とする自動販売機。
【請求項２】
前記設定手段を、複数の景品収納コラムのうちの一部の景品収納コラムを商品販売用のコラムとして設定可能に構成した
ことを特徴とする請求項１記載の自動販売機。
【請求項３】
前記設定手段を、景品収納コラムの景品に対応する商品の商品収納コラムを商品選択スイッチにより選択可能に構成した
ことを特徴とする請求項１または２記載の自動販売機。
【請求項４】
前記設定手段を、選択された商品選択スイッチを商品選択スイッチの表示灯により表示するように構成した
ことを特徴とする請求項３記載の自動販売機。
【請求項５】
一つの商品に対して複数の景品収納コラムが設定されている場合は、商品販売時ごとに異なった景品収納コラムから景品を搬出する制御手段を備えた
ことを特徴とする請求項１、２、３または４記載の自動販売機。
【請求項６】
前記制御手段を、各景品収納コラムが景品搬出可能か否かを判別し、搬出不能な景品収納コラムがある場合は、その景品収納コラム以外の景品収納コラムから景品を搬出するように構成した
ことを特徴とする請求項５記載の自動販売機。
【発明の詳細な説明】
【０００１】
【発明の属する技術分野】
本発明は、飲料または菓子等の商品販売と共に任意の景品を搬出可能な自動販売機に関するものである。
【０００２】
【従来の技術】
従来、この種の自動販売機としては、例えばキャンペーン中の商品販売時に販売促進用としての景品を商品と共に搬出するようにしたものが知られている。この自動販売機では、本来商品が収納されるコラムに景品を収納すると共に、景品搬出の対象となる販売商品の商品選択スイッチに対応する景品収納用のコラムを任意に設定するようにしている（例えば、特許文献１参照。）。
【０００３】
【特許文献１】
特開平１−２７６３９０号公報
【０００４】
【発明が解決しようとする課題】
しかしながら、従来の自動販売機では、本来販売商品を収納するコラムに景品を収納するようにしているため、例えば新たに景品収納用のコラムを設定する場合には、そのコラムに対応する商品選択スイッチの設定を解除してから景品搬出の対象となる商品の商品選択スイッチを設定しなければならない。このため、予め景品提供対象商品であるコラムを記憶したり、新たに景品を収納するコラムを設定するなど、設定作業が複雑になるという問題点があった。
【０００５】
本発明は前記問題点に鑑みてなされたものであり、その目的とするところは、販売商品と共に搬出する景品の設定作業を容易に行うことのできる自動販売機を提供することにある。
【０００６】
【課題を解決する手段】
本発明は前記目的を達成するために、請求項１では、商品収納コラムの商品と共に搬出する景品を収納し、商品選択スイッチの選択操作によって景品を搬出する少なくとも一つの景品収納コラムと、景品収納コラムの景品を搬出する商品選択スイッチを任意に設定可能な設定手段とを備えている。これにより、景品収納コラムに対応する商品選択スイッチを設定するだけでその商品と共に搬出する景品の設定を行うことができる。
【０００７】
また、請求項２では、請求項１の自動販売機において、複数の景品収納コラムのうちの一部の景品収納コラムを商品販売用のコラムとして設定可能に構成している。これにより、請求項１の作用に加え、景品収納コラムを商品販売用にも使用することができる。
【０００８】
また、請求項３では、請求項１または２の自動販売機において、景品収納コラムの景品に対応する商品の商品収納コラムを商品選択スイッチにより選択可能に構成している。これにより、請求項１または２の作用に加え、景品収納コラムに対応する商品選択スイッチを直接操作して選択することができる。
【０００９】
また、請求項４では、請求項１、２または３の自動販売機において、選択された商品選択スイッチを商品選択スイッチの表示灯により表示するように構成している。これにより、請求項１、２または３の作用に加え、選択した商品選択スイッチを容易に確認することができる。
【００１０】
また、請求項５では、請求項１、２、３または４の自動販売機において、一つの商品に対して複数の景品収納コラムが設定されている場合は、商品販売時ごとに異なった景品収納コラムから景品を搬出する制御手段を備えている。これにより、請求項１、２、３、または４の作用に加え、各景品収納コラムの景品を均等に搬出することができる。
【００１１】
また、請求項６では、請求項１、２、３、４または５の自動販売機において、各景品収納コラムが景品搬出可能か否かを判別し、搬出不能な景品収納コラムがある場合は、その景品収納コラム以外の景品収納コラムから景品を搬出するように構成している。これにより、請求項１、２、３、４または５の作用に加え、確実に景品を搬出することができる。
【００１２】
【発明の実施の形態】
図１乃至図５は本発明の一実施形態を示すもので、図１は自動販売機の正面図、図２は自動販売機の平面断面図、図３は制御系を示すブロック図、図４は景品収納コラム設定時の制御部の動作を示すフローチャート、図５は販売時の制御部の動作を示すフローチャートである。
【００１３】
この自動販売機は、自動販売機本体１と、自動販売機本体１の前面を開閉する外扉２とを備え、外扉２の前面上部には商品サンプル展示室３、複数の商品サンプル４、複数の商品選択スイッチ５、硬貨投入口６、紙幣投入口７、返却レバー８、硬貨返却口９、商品取出口１０、金額表示部１１及び広告表示部１２が設けられている。自動販売機本体１の内部には、商品を収納する商品収納コラムＡと、景品を収納する景品収納コラムＢと、各収納コラムＡ，Ｂをそれぞれ収納する複数の収納コラム室１３とが設けられている。即ち、利用者によって金銭が投入され、任意の商品の商品選択スイッチ５が選択操作されると、選択された商品に対応する商品収納コラムＡの商品が商品取出口１０に搬出されるようになっている。また、選択された商品が景品提供対象の商品の場合、商品と共に景品収納コラムＢの景品が商品取出口１０に搬出されるようになっている。
【００１４】
また、本実施形態の自動販売機は、マイクロコンピュータからなる制御部２０を備え、制御部２０は、設定操作部２１、記憶部２２、各商品選択スイッチ５、各商品選択スイッチ５の表示灯２３、各商品収納コラムＡ及び各景品収納コラムＢに接続されている。
【００１５】
設定操作部２１は外扉２の内側に設けられたリモートコントローラからなり、商品価格等の各種設定のほか、景品を収納する景品収納コラムＢを設定するために用いられる。
【００１６】
記憶部２２は各景品収納コラムＢに対応する商品選択スイッチ５に関する設定と、１つの商品選択スイッチ５に対して複数の景品収納コラムＢが設定されているときに、次回販売するときに搬出する景品の景品収納コラムＢを記憶するようになっている。
【００１７】
各表示灯２３は各商品選択スイッチ５に付設され、金銭が投入されたときに点灯することによって販売可能な商品を表示するようになっている。また、景品設定時には景品提供の対象として選択された商品を表示するようになっている。
【００１８】
ここで、前記制御部２０の景品設定時の動作を図４のフローチャートを参照して説明する。
【００１９】
まず、自動販売機の設定操作部２１から景品を収納する景品収納コラムＢが選択され（Ｓ１）、前記景品収納コラムＢ内の景品を提供する商品に対応する商品選択スイッチ５が選択操作されると（Ｓ２）、選択された商品選択スイッチ５の表示灯２３を点灯し（Ｓ３）、設定完了の操作がされると（Ｓ４）、設定操作を終了する。また、設定完了前に選択を解除したいときには、再度、商品選択スイッチ５が押されると（Ｓ５）、表示灯２３を消灯し（Ｓ６）、選択を解除する。
【００２０】
前記設定操作を各景品収納コラムＢに対してそれぞれ行うことにより、各景品収納コラムＢに対応する商品が設定される。このとき、景品収納コラムＢを景品とする商品収納コラムＡが１つも設定されていない場合には、景品収納コラムＢの商品を通常販売することができる。
【００２１】
次に、前記制御部２０の販売時の動作を図５のフローチャートを参照して説明する。
【００２２】
まず、利用者によって商品選択スイッチ５が選択操作されると（Ｓ１０）、商品を搬出するとともに（Ｓ１１）、販売商品に対応する景品収納コラムＢを検索し（Ｓ１２）、該当する景品収納コラムＢがなければ（Ｓ１３）、動作を終了する。
【００２３】
また、景品収納コラムＢが抽出された場合（Ｓ１３）、景品を搬出可能な景品収納コラムＢを検索し（Ｓ１４）、売切れや故障等ですべての景品収納コラムＢが搬出できないときは動作を終了する（Ｓ１５）。
【００２４】
搬出可能な景品収納コラムＢが抽出された場合には（Ｓ１５）、複数の景品収納コラムＢの中からコラムの番号順に景品搬出可能な景品収納コラムＢを検索し（Ｓ１６）、その中で最も番号の若い景品収納コラムＢから景品を搬出するとともに（Ｓ１７）、そのコラムの次に番号の若いコラム番号を記憶する（Ｓ１８）。その際、表示灯２３を点滅させながら景品を搬出する（Ｓ１９）。また、記憶の対象となる次に番号の若いコラム番号が抽出されないときには、最も若い番号に戻ってコラム番号を記憶する。
【００２５】
このように、本実施形態の自動販売機によれば、商品収納コラムＡの商品と共に搬出する景品を収納し、商品選択スイッチ５の選択操作によって景品を搬出する景品収納コラムＢを備え、景品収納コラムＢの景品を搬出する商品選択スイッチ５を任意に設定するようにしたので、景品収納コラムＡに対応する商品選択スイッチ５を設定するだけでその商品と共に搬出する景品の設定を行うことができ、設定作業を極めて容易に行うことができる。
【００２６】
また、一部の景品収納コラムＢに販売用の商品を収納し、任意の商品選択スイッチ５によって搬出するようにしたので、景品収納コラムＢを商品販売用にも使用することができ、景品収納コラムＢを有効に利用することができる。
【００２７】
また、景品収納コラムＢに対応する商品を商品選択スイッチ５により設定するようにしたので、景品収納コラムＢに対応する商品選択スイッチ５を直接操作して選択することができ、設定作業をより一層容易に行うことができる。
【００２８】
また、選択された商品選択スイッチ５を商品選択スイッチ５の表示灯２３により表示するようにしたので、選択した商品選択スイッチ５を容易に確認することができ、誤った設定操作を確実に防止することができる。
【００２９】
また、一つの商品に対して複数の景品収納コラムＢが設定されている場合は、商品販売時ごとに異なった景品収納コラムＢから景品を搬出するようにしたので、各景品収納コラムＢの景品を均等に搬出することができ、一部の景品収納コラムＢの景品のみが長期間搬出されずに残ることがないという利点がある。
【００３０】
また、売切れや故障等で景品を搬出できない景品収納コラムＢがある場合は、その景品収納コラムＢ以外の景品収納コラムＢから景品を搬出するようにしたので、確実に景品を搬出することができ、景品対象商品であっても景品が搬出されないなどの不具合を防止することができる。
【００３１】
【発明の効果】
以上説明したように、請求項１の自動販売機によれば、景品収納コラムに対応する商品選択スイッチを設定するだけでその商品と共に搬出する景品の設定を行うことができるので、設定作業を極めて容易に行うことができる。
【００３２】
また、請求項２では、請求項１の効果に加え、景品収納コラムを商品販売用にも使用することができるので、景品収納コラムを有効に利用することができる。
【００３３】
また、請求項３では、請求項１または２の効果に加え、景品収納コラムに対応する商品選択スイッチを直接操作して選択することができるので、現場での設定作業をより一層容易に行うことができる。
【００３４】
また、請求項４では、請求項１、２または３の効果に加え、選択した商品選択スイッチを容易に確認することができるので、誤った設定操作を確実に防止することができる。
【００３５】
また、請求項５では、請求項１、２、３または４の効果に加え、各景品収納コラムの景品を均等に搬出することができるので、一部の景品収納コラムの景品のみが長期間搬出されずに残ることがないという利点がある。
【００３６】
また、請求項６では、請求項１、２、３、４または５の効果に加え、確実に景品を搬出することができるので、景品対象商品であっても景品が搬出されないなどの不具合を防止することができる。
【図面の簡単な説明】
【図１】本発明の一実施形態を示す自動販売機の正面図
【図２】自動販売機の平面断面図
【図３】制御系を示すブロック図
【図４】景品収納コラム設定時の制御部の動作を示すフローチャート
【図５】販売時の制御部の動作を示すフローチャート
【符号の説明】
５…商品選択スイッチ、２３…表示灯、Ａ…商品収納コラム、Ｂ…景品収納コラム。
【図１】
2004334525.tif 000003
【図２】
2004334525.tif 000004
【図３】
2004334525.tif 000005
【図４】
2004334525.tif 000006
【図５】
2004334525.tif 000007